(57)【要約】  本発明は、所与のパブリック・サービス・アイデンティティ（ＰＳＩ）がいわゆる‘ワイルドカードＰＳＩ’の範囲として定義されたパブリック・サービス・アイデンティティの範囲に属するときに、ネットワーク中のサービスを特定するパブリック・サービス・アイデンティティを取り扱う簡単なメカニズムを提供することを目的とする。従って、本発明は、所与のパブリック・サービス・アイデンティティを含む‘ワイルドカードＰＳＩ’の範囲の識別子を取り扱い、‘ワイルドカードＰＳＩ’の範囲を、該範囲に属するパブリック・サービス・アイデンティティによって特定されるサービスに適用される共通サービス・プロファイルに関連付けることにより、新たな方法、ネットワーク中の新たなセントラル・エンティティ、ならびに、全て本発明の異なる実施例を実現するように協働する、改良されたホーム・サブスクライバ・サーバ、サービング・エンティティおよびルーティング・エンティティを提供する。
2009505484.tif 000002
【特許請求の範囲】
【請求項１】
いくつかのホーム・サブスクライバ・サーバを有するネットワークにおいてパブリック・サービス・アイデンティティを取り扱うセントラル・エンティティ（ＳＬＦ）であって、各パブリック・サービス・アイデンティティ（ＰＳＩ−ｉｄ，ＰＳＩ−ｉｄ−２）がサービスを特定し且つホーム・サブスクライバ・サーバ（ＨＳＳ）によって保持され、
パブリック・サービス・アイデンティティを、該パブリック・サービス・アイデンティティを保持するホーム・サブスクライバ・サーバの識別子（ＨＳＳ−ｉｄ）に関連付ける手段と、
所与のパブリック・サービス・アイデンティティ（ＰＳＩ−ｉｄ，ＰＳＩ−ｉｄ２）に基づくルーティング・クエリ（Ｓ−１１）に対して、該パブリック・サービス・アイデンティティを保持するホーム・サブスクライバ・サーバの識別子（ＨＳＳ−ｉｄ）で返答する（Ｓ−１１）手段と
を有するセントラル・エンティティ（ＳＬＦ）であり、
前記所与のパブリック・サービス・アイデンティティが‘識別可ＰＳＩ’として保持されているか、または該パブリック・サービス・アイデンティティが‘ワイルドカードＰＳＩ’（‘Ｗｉｌｄｃａｒｄ  ＰＳＩ’，‘Ｗｉｌｄｃａｒｄ  ＰＳＩ−ａ’）として保持されるパブリック・サービス・アイデンティティの範囲に属するかを判別する（Ｐ−１０）手段と、
前記ルーティング・クエリに対して、前記パブリック・サービス・アイデンティティが属する前記‘ワイルドカードＰＳＩ’の識別子（‘Ｗｉｌｄｃａｒｄ  ＰＳＩ’，‘Ｗｉｌｄｃａｒｄ  ＰＳＩ−ａ’）によっても返答する（Ｓ−４０）手段と
を備えることを特徴とするセントラル・エンティティ（ＳＬＦ）。
【請求項２】
前記パブリック・サービス・アイデンティティを、該パブリック・サービス・アイデンティティによって特定されるサービスを実行するアプリケーション・サーバ（ＡＳ）の識別子（ＡＳ−ｉｄ）に関連付ける手段をさらに含むことを特徴とする請求項１に記載のセントラル・エンティティ（ＳＬＦ）。
【請求項３】
前記パブリック・サービス・アイデンティティを、前記サービスを実行するアプリケーション・サーバ（ＡＳ）の識別子（ＡＳ−ｉｄ）に関連付けることをホーム・サブスクライバ・サーバ（ＨＳＳ−ｉｄ）に命令する手段をさらに含むことを特徴とする請求項２に記載のセントラル・エンティティ（ＳＬＦ）。
【請求項４】
個別のパブリック・サービス・アイデンティティ（ＰＳＩ−ｉｄ，ＰＳＩ−ｉｄ−２）を保持するために割り当てられたホーム・サブスクスクライバ・サーバ（ＨＳＳ−ｉｄ）が、前記個別のパブリック・サービス・アイデンティティを含む‘ワイルドカードＰＳＩ’の範囲（‘Ｗｉｌｄｃａｒｄ  ＰＳＩ’，‘Ｗｉｌｄｃａｒｄ  ＰＳＩ−ａ’）を保持するために割り当てられたホーム・サブスクライバ・サーバ（ＨＳＳ−ｉｄ）であることを特徴とする請求項１に記載のセントラル・エンティティ（ＳＬＦ）。
【請求項５】
サブスクリプション・ロケータ・ファンクションを実行するように構成され、従って、所与のパブリック・ユーザ・アイデンティティのためのルーティング・クエリに対して、対応するユーザのためのサブスクリプションを保持するホーム・サブスクライバ・サーバの識別子（ＨＳＳ−ｉｄ）により返答する手段を有することを特徴とする請求項１に記載のセントラル・エンティティ（ＳＬＦ）。
【請求項６】
ネットワークにおいてパブリック・サービス・アイデンティティを保持するホーム・サブスクライバ・サーバ（ＨＳＳ）であって、各パブリック・サービス・アイデンティティが、サービング・エンティティ（ＡＳ，Ｓ−ＣＳＣＦ）に割り当て可能なサービスを特定し、
所与のパブリック・サービス・アイデンティティ（ＰＳＩ−ｉｄ，ＰＳＩ−ｉｄ−２）に基づく、ルーティング・エンティティ（Ｉ−ＣＳＣＦ）からのルーティング・クエリ（Ｓ−１３）に対して、該パブリック・サービス・アイデンティティに対して既に割り当てられたサービング・エンティティの識別子（ＡＳ−ｉｄ，Ｓ−ＣＳＣＦ−ｉｄ）、または該サービング・エンティティを選択するのに必要な能力で返答する手段を
有するホーム・サブスクライバ・サーバ（ＨＳＳ）であり、
前記所与のパブリック・サービス・アイデンティティ（ＰＳＩ−ｉｄ，ＰＳＩ−ｉｄ−２）が‘識別可ＰＳＩ’として保持されているか、または前記所与のパブリック・サービス・アイデンティティ（ＰＳＩ−ｉｄ，ＰＳＩ−ｉｄ−２，‘Ｗｉｌｄｃａｒｄ  ＰＳＩ−ａ’）が‘ワイルドカードＰＳＩ’（‘Ｗｉｌｄｃａｒｄ  ＰＳＩ’，‘Ｗｉｌｄｃａｒｄ  ＰＳＩ−ｂ’）として保持されるパブリック・サービス・アイデンティティの範囲に属するかを判別する（Ｐ−１１）手段と、
前記所与のパブリック・サービス・アイデンティティがそのような範囲に属する場合に、前記ルーティング・クエリ（ＬＩＲ）に対する応答（Ｓ−２０，Ｓ−３０）中に、前記‘ワイルドカードＰＳＩ’（‘Ｗｉｌｄｃａｒｄ  ＰＳＩ’，‘Ｗｉｌｄｃａｒｄ−ＰＳＩ−ｂ’）の識別子を含ませる手段と
を備えることを特徴とするホーム・サブスクライバ・サーバ（ＨＳＳ）。
【請求項７】
‘識別可ＰＳＩ’として保持された各個別のパブリック・サービス・アイデンティティを、前記サービスを実行するための特定のサービス・プロファイルに関連付ける手段と、
‘ワイルドカードＰＳＩ’（‘Ｗｉｌｄｃａｒｄ  ＰＳＩ’（‘Ｗｉｌｄｃａｒｄ  ＰＳＩ’，‘Ｗｉｌｄｃａｒｄ  ＰＳＩ−ｂ’）として保持されるパブリック・サービス・アイデンティティの範囲を、該‘ワイルドカードＰＳＩ’に属するいずれのパブリック・サービス・アイデンティティ（ＰＳＩ−ｉｄ，ＰＳＩ−ｉｄ−２，‘Ｗｉｌｄｃａｒｄ  ＰＳＩ−ａ’）にも適用可能な共通サービス・プロファイルに関連付ける手段と
をさらに含むことを特徴とする請求項６に記載のホーム・サブスクライバ・サーバ（ＨＳＳ）。
【請求項８】
‘識別可ＰＳＩ’として保持される前記個別パブリック・サービス・アイデンティティによるクエリ、または前記特定のサービス・プロファイル中のコンテンツの何らかの変化に応じて、前記特定のサービス・プロファイルを提供する（Ｓ−１７）手段と、
前記‘ワイルドカードＰＳＩ’（‘Ｗｉｌｄｃａｒｄ  ＰＳＩ’，‘Ｗｉｌｄｃａｒｄ  ＰＳＩ−ｂ’）に属するいずれかのパブリック・サービス・アイデンティティ（ＰＳＩ−ｉｄ，ＰＳＩ−ｉｄ−２，‘Ｗｉｌｄｃａｒｄ  ＰＳＩ−ａ’）によるクエリ、または前記共通サービス・プロファイル中のコンテンツの何らかの変化に応じて、前記共通サービス・プロファイルを提供する（Ｓ−１７）手段と、
をさらに含むことを特徴とする請求項７に記載のホーム・サブスクライバ・サーバ（ＨＳＳ）。
【請求項９】
ルーティング・エンティティ（Ｉ−ＣＳＣＦ）からルーティング・クエリ（Ｓ−４１）を受信する手段をさらに含み、該ルーティング・クエリは、前記ホーム・サブスクライバ・サーバ（ＨＳＳ）中で定められた第２‘ワイルドカードＰＳＩ’（‘Ｗｉｌｄｃａｒｄ  ＰＳＩ−ｂ’）のサブレンジである第１‘ワイルドカードＰＳＩ’（‘Ｗｉｌｄｃａｒｄ  ＰＳＩ−ａ’）に基づくことを特徴とする請求項６に記載のホーム・サブスクライバ・サーバ（ＨＳＳ）。
【請求項１０】
‘ワイルドカードＰＳＩ’の範囲（‘Ｗｉｌｄｃａｒｄ  ＰＳＩ’）を現在保持しているサービング・エンティティからの指示の受信（Ｓ−２２）に応じて、該‘ワイルドカードＰＳＩ’の範囲（‘Ｗｉｌｄｃａｒｄ  ＰＳＩ’）に含まれるパブリック・サービス・アイデンティティを取り扱うために該サービング・エンティティ（Ｓ−ＣＳＣＦ）を割り当てる手段をさらに含むことを特徴とする請求項６に記載のホーム・サブスクライバ・サーバ（ＨＳＳ）。
【請求項１１】
パブリック・サービス・アイデンティティによって特定されるサービスを取り扱うために割り当てられるサービング・エンティティ（Ｓ−ＣＳＣＦ）であって、
所与のパブリック・サービス・アイデンティティ（ＰＳＩ−ｉｄ，ＰＳＩ−ｉｄ−２）によって特定されるサービスの呼び出し（ＩＮＶＩＴＥ）を受信する手段を
有するサービング・エンティティ（Ｓ−ＣＳＣＦ）であり、
前記所与のパブリック・サービス・アイデンティティ（ＰＳＩ−ｉｄ，ＰＳＩ−ｉｄ−２）が属する‘ワイルドカードＰＳＩ’の範囲（‘Ｗｉｌｄｃａｒｄ  ＰＳＩ’，‘Ｗｉｌｄｃａｒｄ  ＰＳＩ−ｂ’）の識別子を、前記呼び出しにより受信する（Ｓ−２１）手段と、
前記‘ワイルドカードＰＳＩ’の範囲（‘Ｗｉｌｄｃａｒｄ  ＰＳＩ’）を現在保持しているサービング・エンティティであることを、ネットワーク中のパブリック・サービス・アイデンティティを保持するホーム・サブスクライバ・サーバ（ＨＳＳ）に知らせる（Ｓ−２２）手段と
を備えることを特徴とするサービング・エンティティ（Ｓ−ＣＳＣＦ）。
【請求項１２】
前記所与のパブリック・サービス・アイデンティティに対するサービス・プロファイルが既に使用可能であるか、または前記‘ワイルドカードＰＳＩ’の範囲に対する共通サービス・プロファイルが既に使用可能であるか判断する手段をさらに含むことを特徴とする請求項１１に記載のサービング・エンティティ（Ｓ−ＣＳＣＦ）。
【請求項１３】
前記‘ワイルドカードＰＳＩ’の範囲に関連した共通サービス・プロファイルを、ホーム・サブスクライバ・サーバ（ＨＳＳ）から取得する（Ｓ−２２，Ｓ−１７）手段をさらに含むことを特徴とする請求項１１に記載のサービング・エンティティ（Ｓ−ＣＳＣＦ）。
【請求項１４】
前記所与のパブリック・サービス・アイデンティティによって特定されるサービスを実行するアプリケーション・サーバ（ＡＳ）に向けて、前記受信した呼び出し（ＩＮＶＩＴＥ）を転送する（Ｓ−２３）手段をさらに含み、前記呼び出しが、前記所与のパブリック・サービス・アイデンティティが属する前記‘ワイルドカードＰＳＩ’の範囲（‘Ｗｉｌｄｃａｒｄ  ＰＳＩ’，‘Ｗｉｌｄｃａｒｄ  ＰＳＩ−ｂ’）の識別子を含むことを特徴とする請求項１１に記載のサービング・エンティティ（Ｓ−ＣＳＣＦ）。
【請求項１５】
ネットワーク中のパブリック・サービス・アイデンティティによって特定されるサービスの呼び出しを、該サービスを取り扱うために割り当てられるサービング・エンティティ（Ｓ−ＣＳＣＦ，ＡＳ）に向けてルーティングするルーティング・エンティティ（Ｉ−ＣＳＣＦ）であって、
所与のパブリック・サービス・アイデンティティ（ＰＳＩ−ｉｄ，ＰＳＩ−ｉｄ−２）によって特定されるサービスの呼び出し（ＩＮＶＩＴＥ）を受信する手段（Ｓ−１０）と、
前記所与のパブリック・サービス・アイデンティティを保持するホーム・サブスクライバ・サーバ（ＨＳＳ）から、前記所与のパブリック・サービス・アイデンティティのために既に割り当てられているサービング・エンティティの識別子（ＡＳ−ｉｄ，Ｓ−ＣＳＣＦ−ｉｄ）、またはサービング・エンティティを選択するのに必要な能力を取得する（Ｓ−１３，Ｓ−２０，Ｓ−４１，Ｓ−３０）手段と、
受信したサービス呼び出しを、選択可能サービング・エンティティ（Ｓ−ＣＳＣＦ，ＡＳ）に転送する（Ｓ−２１）手段を
有するルーティング・エンティティ（Ｉ−ＣＳＣＦ）であり、
前記所与のパブリック・サービス・アイデンティティが属する‘ワイルドカードＰＳＩ’の範囲の識別子（‘Ｗｉｌｄｃａｒｄ  ＰＳＩ’，‘Ｗｉｌｄｃａｒｄ  ＰＳＩ−ｂ’，‘Ｗｉｌｄｃａｒｄ  ＰＳＩ−ｂ’）を、前記所与のパブリック・サービス・アイデンティティを保持するネットワーク・エンティティ（ＨＳＳ，ＳＬＦ）から受信する（Ｓ−２０，Ｓ−３０，Ｓ−４０）手段と、
前記所与のパブリック・サービス・アイデンティティが属する前記‘ワイルドカードＰＳＩ’の範囲の識別子（‘Ｗｉｌｄｃａｒｄ  ＰＳＩ’，‘Ｗｉｌｄｃａｒｄ−ＰＳＩ−ｂ’）を、前記サービング・エンティティに向けて転送される（Ｓ−２１）前記呼び出しに含める手段と
を備えることを特徴とするルーティング・エンティティ（Ｉ−ＣＳＣＦ）。
【請求項１６】
‘ワイルドカードＰＳＩ’の範囲の識別子を受信する（Ｓ−４０）前記手段が、前記所与のパブリック・サービス・アイデンティティを保持するホーム・サブスクライバ・サーバの識別子（ＨＳＳ−ｉｄ）をセントラル・エンティティ（ＳＬＦ）から取得する（Ｓ−１２，Ｓ−４０）手段をも含むことを特徴とする請求項１５に記載のルーティング・エンティティ（Ｉ−ＣＳＣＦ）。
【請求項１７】
前記所与のパブリック・サービス・アイデンティティが属する指示された‘ワイルドカードＰＳＩ’の範囲（‘Ｗｉｌｄｃａｒｄ  ＰＳＩ’，‘Ｗｉｌｄｃａｒｄ  ＰＳＩ−ａ’）に割り当て可能なサービング・エンティティについて前記ホーム・サブスクライバ・サーバ（ＨＳＳ−ｉｄ）に問い合わせる（Ｓ−４１）手段をさらに含むことを特徴とする請求項１６に記載のルーティング・エンティティ（Ｉ−ＣＳＣＦ）。
【請求項１８】
前記転送された呼び出しに含まれる前記‘ワイルドカードＰＳＩ’の範囲の識別子（‘Ｗｉｌｄｃａｒｄ  ＰＳＩ’，‘Ｗｉｌｄｃａｒｄ  ＰＳＩ−ｂ’）は、前記ホーム・サブスクライバ・サーバ（ＨＳＳ）から受信した（Ｓ−２０，Ｓ−３０）ものであることを特徴とする請求項１６に記載のルーティング・エンティティ（Ｉ−ＣＳＣＦ）。
【請求項１９】
前記ホーム・サブスクライバ・サーバ（ＨＳＳ）に向けてルーティング・クエリを送る前記手段は、前記所与のパブリック・サービス・アイデンティティを保持する前記ホーム・サブスクライバ・サーバの識別子（ＨＳＳ−ｉｄ）を、請求項１のセントラル・エンティティから取得する手段を含むことを特徴とする請求項１５に記載のルーティング・エンティティ（Ｉ−ＣＳＣＦ）。
【請求項２０】
ネットワーク中のパブリック・サービス・アイデンティティによって特定されるサービスを呼び出す方法であって、前記サービスはサービング・エンティティ（Ｓ−ＣＳＣＦ，ＡＳ）によって取り扱われ、前記パブリック・サービス・アイデンティティは、ホーム・サブスクライバ・サーバ（ＨＳＳ）において保持され、
所与のパブリック・サービス・アイデンティティ（ＰＳＩ−ｉｄ，ＰＳＩ−ｉｄ−２）によって特定されるサービスの呼び出し（ＩＮＶＩＴＥ）をルーティング・エンティティ（Ｉ−ＣＳＣＦ）において受信する（Ｓ−１０）ステップと、
前記所与のパブリック・サービス・アイデンティティを保持するホーム・サブスクライバ・サーバ（ＨＳＳ）に、前記所与のパブリック・サービス・アイデンティティを取り扱うために割り当て可能なサービング・エンティティ（Ｓ−ＣＳＣＦ，ＡＳ）について問い合わせする（Ｓ−１３，Ｓ−４１）ステップと、
前記受信したサービス呼び出しを、前記割り当て可能なサービング・エンティティ（Ｓ−ＣＳＣＦ，ＡＳ）に転送する（Ｓ−２１）ステップを
有する方法であり、
前記問い合わせに対して、前記所与のパブリック・サービス・アイデンティティが属する‘ワイルドカードＰＳＩ’の範囲の識別子（‘Ｗｉｌｄｃａｒｄ  ＰＳＩ’，‘Ｗｉｌｄｃａｒｄ  ＰＳＩ−ｂ’）により返答する（Ｓ−２０，Ｓ−３０，Ｓ−４０）ステップと、
前記‘ワイルドカードＰＳＩ’の範囲の識別子（‘Ｗｉｌｄｃａｒｄ  ＰＳＩ’，‘Ｗｉｌｄｃａｒｄ  ＰＳＩ−ｂ’）を、前記割り当て可能なサービング・エンティティ（Ｓ−ＣＳＣＦ，ＡＳ）に向けて転送する（Ｓ−２１）ステップと、
前記‘ワイルドカードＰＳＩ’の範囲に含まれるパブリック・サービス・アイデンティティに適用可能な前記‘ワイルドカードＰＳＩ’用の共通サービス・プロファイルを割り当てるステップと
を含むことを特徴とする方法。
【請求項２１】
１つより多いホーム・サブスクライバ・サーバ（ＨＳＳ）を有するネットワークにおいて前記所与のパブリック・サービス・アイデンティティを保持する前記ホーム・サブスクライバ・サーバ（ＨＳＳ）についてセントラル・エンティティ（ＳＬＦ）に問い合わせる（Ｓ−１１）ステップと、
前記ホーム・サブスクライバ・サーバ（ＨＳＳ）の識別子を受信する（Ｓ−１２，Ｓ−４０）ステップと
をさらに含むことを特徴とする請求項２０に記載の方法。
【請求項２２】
前記所与のパブリック・サービス・アイデンティティが属する第１‘ワイルドカードＰＳＩ’の範囲の識別子（‘Ｗｉｌｄｃａｒｄ  ＰＳＩ’，‘Ｗｉｌｄｃａｒｄ  ＰＳＩ−ａ’）を前記セントラル・エンティティ（ＳＬＦ）から受信する（Ｓ−４０）ステップをさらに含むことを特徴とする請求項２１に記載の方法。
【請求項２３】
サービング・エンティティ（Ｓ−ＣＳＣＦ，ＡＳ）についてホーム・サブスクライバ・サーバ（ＨＳＳ）に問い合わせる（Ｓ−４１）前記ステップは、前記セントラル・エンティティ（ＳＬＦ）から受信した第１‘ワイルドカードＰＳＩ’の範囲の識別子（‘Ｗｉｌｄｃａｒｄ  ＰＳＩ’，‘Ｗｉｌｄｃａｒｄ  ＰＳＩ−ａ’）を転送するステップをさらに含むことを特徴とする請求項２２に記載の方法。
【請求項２４】
前記問い合わせに対して、‘ワイルドカードＰＳＩ’の範囲の識別子（‘Ｗｉｌｄｃａｒｄ  ＰＳＩ’，‘Ｗｉｌｄｃａｒｄ  ＰＳＩ−ｂ’）により返答する（Ｓ−４０）前記ステップは、該返答により戻すべき第２‘ワイルドカードＰＳＩ’（‘Ｗｉｌｄｃａｒｄ  ＰＳＩ−ｂ’）のサブレンジとしての前記第１‘ワイルドカードＰＳＩ’（‘Ｗｉｌｄｃａｒｄ  ＰＳＩ−ａ’）を照合するステップを含むことを特徴とする請求項２３に記載の方法。
【発明の詳細な説明】
【技術分野】
【０００１】
本発明は、概して、各パブリック・サービス・アイデンティティ（Ｐｕｂｌｉｃ  Ｓｅｒｖｉｃｅ  Ｉｄｅｎｔｉｔｙ）によって特定されるサービスの呼び出し（ｉｎｖｏｃａｔｉｏｎ）に関する。本発明は、具体的には、いわゆる‘ワイルドカードＰＳＩ（Ｗｉｌｄｃａｒｄ  ＰＳＩ）’として保持されるパブリック・サービス・アイデンティティの範囲（この範囲は、サービス・プロファイルを共用する）に属するパブリック・アイデンティティのルーティングに関する。
【背景技術】
【０００２】
現在、第３世代パートナーシップ・プロジェクト（一般に、‘３ＧＰＰ’として知られている）は、技術仕様書３ＧＰＰ  ＴＳ  ２３．２２８  Ｖ６．９．０に説明されているように、ＩＰマルチメディア・サブシステム（一般に、‘ＩＭＳ’として知られている）の基礎を提供している。３ＧＰＰによれば、パブリック・サービス・アイデンティティは、パブリック・ユーザ・アイデンティティとは、次の点で異なる。すなわち、パブリック・サービス・アイデンティティは、アプリケーション・サーバ（少なくとも上記３ＧＰＰ技術仕様書中では、‘ＡＳ’）がホストとなり処理するサービスを特定し、パブリック・ユーザ・アイデンティティは、そのサブスクリプション・データがネットワーク・オペレータ構内のサブスクライバ・データベース中で取り扱われ、例えばサービング・コール・セッション・コントロール・ファンクション（Ｓｅｒｖｉｎｇ  Ｃａｌｌ  Ｓｅｓｓｉｏｎ  Ｃｏｎｔｒｏｌ  Ｆｕｎｃｔｉｏｎ）（３ＧＰＰの下では‘Ｓ−ＣＳＣＦ’として知られている）のような異なるサービング・ネットワーク・ノードによりサービスされるユーザを特定する。本明細書で使用される‘サービス（Ｓｅｒｖｉｃｅ）’および‘ユーザ（ｕｓｅｒ）’の定義は、３ＧＰＰ  ＴＳ  ２１．９０５の“３ＧＰＰ仕様書の用語集（Ｖｏｃａｂｕｒａｒｙ  ｆｏｒ  ３ＧＰＰ  Ｓｐｅｃｉｆｉｃａｔｉｏｎ）”中に、見出すことができる。
【０００３】
一般に、パブリック・サービス・アイデンティティは、特定のアプリケーション・サーバで実行されるサービスを特定するのに使用される。具体的には、パブリック・サービス・アイデンティティは、例えば、ユーザが、他のセッション参加者にメッセージを送信し該参加者からのメッセージを受信できるようにセッションを確立できるパブリック・サービス・アイデンティティ（以下、‘ＰＳＩ’と指称）を使用できるチャットタイプ・サービスのようなサービスのグループを特定するのに使用できる。パブリック・サービス・アイデンティティは、ＲＦＣ３９６６中で定義されているいわゆる‘ｔｅｌ：’−ＵＲＩフォーマットだけでなく、ＲＦＣ３２６１およびＲＦＣ２３９６中のインターネット・エンジニアリング・タスク・フォース（Ｉｎｔｅｒｎｅｔ  Ｅｎｇｉｎｅｅｒｉｎｇ  Ｔａｓｋ  Ｆｏｒｃｅｓ（ＩＥＴＦ））により定義されているＳＩＰ  ＵＲＬまたはＳＩＰ  ＵＲＩの形をとるものと、ここでは仮定する。チャットタイプ・サービスを特定するパブリック・サービス・アイデンティティの例は、ｓｉｐ：ｃｈａｔｌｉｓｔ＿Ｘ＠ｅｘａｍｐｌｅ．ｃｏｍである。
【０００４】
パブリック・サービス・アイデンティティは、２つの異なる表現および範囲の形を採用できる。第１のものは、例えばｓｉｐ：ｍｙ＿ｓｅｒｖｉｃｅ＠ｅｘａｍｐｌｅ．ｃｏｍのようないわゆる‘識別可（Ｄｉｓｔｉｎｃｔ）ＰＳＩ’であり、ユニークなサービスを示し個別に呼び出すことができる個別パブリック・サービス・アイデンティティを定める。第２の表現の形および範囲は、例えばｓｉｐ：ｃｈａｔｌｉｓｔ＿＊＠ｅｘａｍｐｌｅ．ｃｏｍのような‘ワイルドカードＰＳＩ’であり、パブリック・サービス・アイデンティティの範囲は、ＳＩＰ  ＵＲＩの同じドメイン部分およびＳＩＰ  ＵＲＩのユーザ部分中のワイルドカード表記により定められる。‘識別可ＰＳＩ’および‘ワイルドカードＰＳＩ’の定義は、技術仕様書３ＧＰＰ  ＴＳ  ２３．００３中に見出すことができる。
【０００５】
この点に関して、個別パブリック・サービス・アイデンティティは、‘識別可ＰＳＩ’として独立に定義されるか、あるいはその範囲内に複数のパブリック・サービス・アイデンティティを黙示的に含む‘ワイルドカードＰＳＩ’の範囲内で定義できる。
【０００６】
動作において、ＩＭＳは、対応パブリック・サービス・アイデンティティを使用することによって、特定のＩＭＳサービスに関連したＩＭＳメッセージをルーティングする手段を提供する。
【０００７】
従って、パブリック・サービス・アイデンティティは、ホーム・ネットワーク・オペレータのサブスクライバ用のサブスクリプション・データを保持するホーム・サブスクライバ・サーバ（３ＧＰＰ仕様下では、一般的に‘ＨＳＳ’として知られている）に記憶される。サービスは、ユーザが所与のパブリック・サービス・アイデンティティを使用することによりプロキシ・コール・セッション・コントロール・ファンクション（Ｐｒｏｘｙ  Ｃａｌｌ  Ｓｅｓｓｉｏｎ  Ｃｏｎｔｒｏｌ  Ｆｕｎｃｔｉｏｎ）（３ＧＰＰ下では、‘Ｐ−ＣＳＣＦ’として知られている）を介してＩＭＳにアクセスすることにより、呼び出される。この呼び出しは、所与のパブリック・サービス・アイデンティティについてＨＳＳに問い合わせる、好ましくはインテロゲーティング・コール・セッション・コントロール・ファンクション（Ｉｎｔｅｒｒｏｇａｔｉｎｇ    Ｃａｌｌ  Ｓｅｓｓｉｏｎ  Ｃｏｎｔｒｏｌ  Ｆｕｎｃｔｉｏｎ）（３ＧＰＰ下では、‘Ｉ−ＣＳＣＦ’として知られている）である、ホーム・ネットワークのルーティング・エンティティにおいて受信される。ＨＳＳは、所与のパブリック・サービス・アイデンティティがＨＳＳ中で定義されているかチェックする。これは、所与のパブリック・サービス・アイデンティティを取り扱うように既に割り当てられたＳ−ＣＳＣＦを見出すため、あるいは、対応サービスが実行されるアプリケーション・サーバを見出すため（ネットワークがこのような直接呼び出し用に構成されている場合）、あるいは、Ｓ−ＣＳＣＦを選択するのに必要なサーバ能力を見出すため（このようなサービング・エンティティが所与のパブリック・サービス・アイデンティティのためにいまだ割り当てられていない場合）である。
【０００８】
所与のパブリック・サービス・アイデンティティを取り扱うためにＨＳＳにおいてＳ−ＣＳＣＦが割り当てられていなければ、このようなサービスを取り扱う適当なＳ−ＣＳＣＦを選択するために、Ｉ−ＣＳＣＦで受信されたサーバ能力が使用される。所与のパブリック・サービス・アイデンティティによるサービス呼び出しは、選択されたＳ−ＣＳＣＦに転送され、該Ｓ−ＣＳＣＦは、所与のパブリック・サービス・アイデンティティに対して現在サービスしているのと同様に割り当てられるように、ＨＳＳに連絡する。前の問い合わせに対して、ＨＳＳは、所与のパブリック・サービス・アイデンティティがＨＳＳ中で定義されているかチェックする。これは、割り当てられたＳ−ＣＳＣＦをマークするため、ならびに所与のパブリック・サービス・アイデンティティをＳ−ＣＳＣＦに戻すべく適用可能なサービス・プロファイルをフェッチするためである。
【０００９】
このサービス・プロファイルは、対応サービスが実行されるアプリケーション・サーバの識別子を含む。この結果、所与のパブリック・サービス・アイデンティティに対して適用可能なサービス・プロファイルがＳ−ＣＳＣＦにおいて得られると、Ｓ−ＣＳＣＦは、このサービスの呼び出しを、サービス・プロファイル中に示されたアプリケーション・サーバに転送できる。アプリケーション・サーバ（一般に、“ＡＳ”と略称）は、所与のパブリック・サービス・アイデンティティが定義されているかチェックし、所与のパブリック・サービス・アイデンティティのために実行されるロジックをフェッチする。
【発明の開示】
【発明が解決しようとする課題】
【００１０】
現存のメカニズムによれば、パブリック・サービス・アイデンティティによって特定されるサービスの呼び出しのルーティングは、所与のパブリック・サービス・アイデンティティをＨＳＳに定義されたパブリック・サービス・アイデンティティと照合するためのＨＳＳ内の少なくとも２つのチェッキング手順と、所与のパブリック・サービス・アイデンティティに関連したサービス・ロジックをフェッチするためのＡＳ内の１つの手順とを含む。これらのチェッキング手順は、所与のパブリック・サービス・アイデンティティを、全ての個別的に定義されたパブリック・サービス・アイデンティティと照合しようとするとともに、いわゆる‘ワイルドカードＰＳＩ’の範囲内に黙示的に定義されたパブリック・サービス・アイデンティティと照合しようとするので、予期したものより、複雑になる。
【００１１】
１つより多いＨＳＳが存在するネットワークにおいては、上記３つのチェッキング手順は、少なくとも４つの手順に増加する。何故なら、パブリック・サービス・アイデンティティについてＨＳＳに問い合わせる前に、ルーティング・エンティティは、このようなパブリック・サービス・アイデンティティを保持するＨＳＳの識別子を得るために、まず、ネットワーク中のセントラル・エンティティにパブリック・サービス・アイデンティティについて問い合わせなければならない。このような１つより多いＨＳＳの態様では、パブリック・サービス・アイデンティティは、ネットワークのいずれのＨＳＳにおいても、‘識別可ＰＳＩ’として個別的に、あるいは‘ワイルドカードＰＳＩ’の範囲内に定義され、所与のパブリック・サービス・アイデンティティに適用される関連データを特定するためには、チェッキング手順は、少なくとも４回必要である。
【００１２】
さらに、Ｓ−ＣＳＣＦにおいて所与のパブリック・サービス・アイデンティティのために受信される各サービス・プロファイルは、そこに記憶される。従って、サービス・プロファイルが各パブリック・サービス・アイデンティティに対して既に記憶されていれば、各パブリック・サービス・アイデンティティによるさらなる呼び出しは、サービス・プロファイルのダウンロードを必要としない。
【００１３】
本発明は、異なるネットワーク・エンティティにおけるチェッキング手順、および全てのＳ−ＣＳＣＦにおけるサービス・プロファイルの記憶の必要性を最小化するようにこのメカニズムを簡単にすることを目的とする。具体的には、本発明は、所与のパブリック・サービス・アイデンティティ（ＰＳＩ）がいわゆる‘ワイルドカードＰＳＩ’の範囲として定義されたパブリック・サービス・アイデンティティの範囲に属するときに、ネットワーク中のサービスを特定するパブリック・サービス・アイデンティティを取り扱う簡単なメカニズムを提供することを目的とする。
【００１４】
従って、本発明は、新たな方法、ネットワーク中の新たなセントラル・エンティティ、ならびに、全て本発明の異なる実施例を実現するように協働する、改良されたホーム・サブスクライバ・サーバ、サービング・エンティティおよびルーティング・エンティティを提供する。
【課題を解決するための手段】
【００１５】
本発明の第１の面によれば、いくつかのホーム・サブスクライバ・サーバを有するネットワークにおいてパブリック・サービス・アイデンティティを取り扱うセントラル・エンティティであって、各パブリック・サービス・アイデンティティがサービスを特定し且つホーム・サブスクライバ・サーバによって保持されるセントラル・エンティティが提供される。このセントラル・エンティティは、この目的のために、
パブリック・サービス・アイデンティティを、該パブリック・サービス・アイデンティティを保持するホーム・サブスクライバ・サーバの識別子に関連付ける手段と、
所与のパブリック・サービス・アイデンティティに基づくルーティング・クエリに対して、該パブリック・サービス・アイデンティティを保持するホーム・サブスクライバ・サーバの識別子で返答する手段と
前記所与のパブリック・サービス・アイデンティティが‘識別可ＰＳＩ’として保持されているか、または該パブリック・サービス・アイデンティティが‘ワイルドカードＰＳＩ’として保持されるパブリック・サービス・アイデンティティの範囲に属するかを判別する手段と、
前記ルーティング・クエリに対して、前記パブリック・サービス・アイデンティティが属する前記‘ワイルドカードＰＳＩ’の識別子によっても返答する手段と
を備える。
【００１６】
このセントラル・エンティティが、パブリック・サービス・アイデンティティを、該パブリック・サービス・アイデンティティによって特定されるサービスを実行するアプリケーション・サーバの識別子に関連付ける手段をさらに含むと有利である。また、このセントラル・エンティティは、前記パブリック・サービス・アイデンティティを、前記サービスを実行するアプリケーション・サーバの識別子に関連付けることをホーム・サブスクライバ・サーバに命令する手段をさらに含むことができる。
【００１７】
他方、前記セントラル・エンティティは、個別のパブリック・サービス・アイデンティティを保持するために割り当てられたホーム・サブスクスクライバ・サーバが、前記個別のパブリック・サービス・アイデンティティを含む‘ワイルドカードＰＳＩ’の範囲を保持するために割り当てられたホーム・サブスクライバ・サーバであるように構成できる。
【００１８】
本発明によれば、前記セントラル・エンティティとして機能する専用装置を設けてもよいし、他の異なるネットワーク・エンティティをこの目的に合致するように構成してもよい。例えば、前記セントラル・エンティティは、サブスクリプション・ロケータ・ファンクションを実行するように構成することができ、この目的のため、前記セントラル・エンティティは、所与のパブリック・ユーザ・アイデンティティのためのルーティング・クエリに対して、対応するユーザのためのサブスクリプションを保持するホーム・サブスクライバ・サーバの識別子により返答する手段を有することができる。
【００１９】
本発明の第２の面によれば、ネットワークにおいてパブリック・サービス・アイデンティティを保持するホーム・サブスクライバ・サーバであって、各パブリック・サービス・アイデンティティが、サービング・エンティティに割り当て可能なサービスを特定するホーム・サブスクライバ・サーバが提供される。従って、このホーム・サブスクライバ・サーバは、
ルーティング・エンティティからのルーティング・クエリであって、所与のパブリック・サービス・アイデンティティに基づくルーティング・クエリに対して、該パブリック・サービス・アイデンティティに対して既に割り当てられたサービング・エンティティの識別子、または該サービング・エンティティを選択するのに必要な能力で返答する手段と、
前記所与のパブリック・サービス・アイデンティティが‘識別可ＰＳＩ’として保持されているか、または前記所与のパブリック・サービス・アイデンティティが‘ワイルドカードＰＳＩ’として保持されるパブリック・サービス・アイデンティティの範囲に属するかを判別する手段と、
前記ルーティング・クエリに対する応答中に、前記所与のパブリック・サービス・アイデンティティが属する‘ワイルドカードＰＳＩ’の範囲の識別子を含ませる手段と
を備える。
【００２０】
このホーム・サブスクライバ・サーバは、
‘識別可ＰＳＩ’として保持された各個別のパブリック・サービス・アイデンティティを、該サービスを実行するための特定のサービス・プロファイルに関連付ける手段と、
‘ワイルドカードＰＳＩ’として保持されるパブリック・サービス・アイデンティティの範囲を、該‘ワイルドカードＰＳＩ’に属するいずれのパブリック・サービス・アイデンティティにも適用可能な共通サービス・プロファイルに関連付ける手段と
をさらに含むことができる。
【００２１】
さらに、上記特定および共通のサービス・プロファイルを取り扱うことに関して、上記ホーム・サブスクライバ・サーバは、
‘識別可ＰＳＩ’として保持される前記個別のパブリック・サービス・アイデンティティによるクエリ、または特定のサービス・プロファイル中のコンテンツの何らかの変化に応じて、特定のサービス・プロファイルを提供する手段と、
‘ワイルドカードＰＳＩ’に属するいずれかのパブリック・サービス・アイデンティティによるクエリ、または共通サービス・プロファイル中のコンテンツの何らかの変化に応じて、共通サービス・プロファイルを提供する手段と、
をさらに含むことができる。
【００２２】
前記ホーム・サブスクライバ・サーバに、ルーティング・エンティティからルーティング・クエリを受信する手段が備えられ、該ルーティング・クエリが、ホーム・サブスクライバ・サーバ中で定められた第２‘ワイルドカードＰＳＩ’のサブレンジである第１‘ワイルドカードＰＳＩ’に基づくものであれば、前記セントラル・エンティティの助けによる、ホーム・サブスクライバ・サーバ間のパブリック・サービス・アイデンティティの配布に関してさらなる利点が得られる。さらに、前記ホーム・サブスクライバ・サーバが、‘ワイルドカードＰＳＩ’の範囲を現在保持しているサービング・エンティティからの指示の受信に応じて、‘ワイルドカードＰＳＩ’の範囲に含まれるパブリック・サービス・アイデンティティを取り扱うサービング・エンティティを割り当てる手段を有することにより、より簡単に実施できる。
【００２３】
本発明の第３の面によれば、パブリック・サービス・アイデンティティによって特定されるサービスを取り扱うために割り当てられるサービング・エンティティが提供される。従って、このサービング・エンティティは、
所与のパブリック・サービス・アイデンティティによって特定されるサービスの呼び出しを受信する手段と、
前記所与のパブリック・サービス・アイデンティティが属する‘ワイルドカードＰＳＩ’の範囲の識別子を、前記呼び出しにより受信する手段と、
前記‘ワイルドカードＰＳＩ’の範囲を現在保持しているサービング・エンティティであることを、ネットワーク中のパブリック・サービス・アイデンティティを保持するホーム・サブスクライバ・サーバに知らせる手段と
を備える。
【００２４】
前記サービング・エンティティは、前記所与のパブリック・サービス・アイデンティティに対するサービス・プロファイルが既に使用可能であるか、または‘ワイルドカードＰＳＩ’の範囲に対する共通サービス・プロファイルが使用可能であるか判断する手段を備えると有利であり、これにより、不必要なダウンロードを最小にできる。
【００２５】
前記サービング・エンティティは、また、前記‘ワイルドカードＰＳＩ’の範囲に関連した共通サービス・プロファイルを、ホーム・サブスクライバ・サーバから取得する手段をさらに含むことにより改良できる。
【００２６】
さらに、外部アプリケーション・サーバ中で実行されるサービスに特に適用可能なことであるが、前記サービング・エンティティは、前記所与のパブリック・サービス・アイデンティティによって特定されるサービスを実行するアプリケーション・サーバに向けて、前記受信した呼び出しを転送する手段をさらに含むことができ、前記呼び出しが、前記所与のパブリック・サービス・アイデンティティが属する‘ワイルドカードＰＳＩ’の範囲の識別子を含むことができる。
【００２７】
特に、ＩＭＳネットワークに適用する場合、現在の３ＧＰＰ仕様書に説明されているように、このサービング・エンティティは、サービング・コール・セッション・コントロール・ファンクション（Ｓｅｒｖｉｎｇ  Ｃａｌｌ  Ｓｅｓｓｉｏｎ  Ｃｏｎｔｒｏｌ  Ｆｕｎｃｔｉｏｎ）である。
【００２８】
本発明の第４の面によれば、ネットワーク中のパブリック・サービス・アイデンティティによって特定されるサービスの呼び出しを、該サービスを取り扱うために割り当てられるサービング・エンティティに向けてルーティングするルーティング・エンティティが提供される。従って、このルーティング・エンティティは、
所与のパブリック・サービス・アイデンティティによって特定されるサービスの呼び出しを受信する手段と、
前記所与のパブリック・サービス・アイデンティティを保持するホーム・サブスクライバ・サーバから、前記所与のパブリック・サービス・アイデンティティのために既に割り当てられるサービング・エンティティの識別子、またはサービング・エンティティを選択するのに必要な能力を取得する手段と、
受信したサービス呼び出しを、選択可能なサービング・エンティティに転送する手段と、
前記所与のパブリック・サービス・アイデンティティが属する‘ワイルドカードＰＳＩ’の範囲の識別子を、前記所与のパブリック・サービス・アイデンティティを保持するネットワーク・エンティティから受信する手段と、
前記所与のパブリック・サービス・アイデンティティが属する‘ワイルドカードＰＳＩ’の範囲の識別子を，前記サービング・エンティティに向けて転送される前記呼び出しに含める手段と
を備える。
【００２９】
１つより多くのホーム・サブスクライバ・サーバを有するネットワークに特に興味深いのは、前記‘ワイルドカードＰＳＩ’の範囲の識別子を受信する前記手段が、前記所与のパブリック・サービス・アイデンティティを保持するホーム・サブスクライバ・サーバの識別子をセントラル・エンティティから取得する手段をも含むように前記ルーティング・エンティティを構成できることである。
【００３０】
前記ルーティング・エンティティは、前記セントラル・エンティティから、‘ワイルドカードＰＳＩ’の範囲を受信する手段を備えるように構成できる。さらに、前記ルーティング・エンティティは、前記所与のパブリック・サービス・アイデンティティが属し且つ前記セントラル・エンティティから受信され指示された‘ワイルドカードＰＳＩ’の範囲に割り当て可能なサービング・エンティティについて前記ホーム・サブスクライバ・サーバに問い合わせる手段をさらに含むことができる。
【００３１】
この点に関して、前記ルーティング・エンティティにより転送された呼び出しに含まれる‘ワイルドカードＰＳＩ’の範囲の識別子は、前記ホーム・サブスクライバ・サーバから受信したものである。
【００３２】
前記ホーム・サブスクライバ・サーバに向けてルーティング・クエリを送る、該ルーティングエンティティに含まれる前記手段が、前記所与のパブリック・サービス・アイデンティティを保持するホーム・サブスクライバ・サーバの識別子を、前記セントラル・エンティティから取得する手段を含めば、さらなる利点が得られる。
【００３３】
特に、ＩＭＳネットワークに適用する場合、現在の３ＧＰＰ仕様書に説明されているように、このルーティング・エンティティは、インテロゲーティング・コール・セッション・コントロール・ファンクション（Ｉｎｔｅｒｒｏｇａｔｉｎｇ  Ｃａｌｌ  Ｓｅｓｓｉｏｎ  Ｃｏｎｔｒｏｌ  Ｆｕｎｃｔｉｏｎ）である。
【００３４】
本発明の上記目的を達成するために協働する上述のエンティティとは別に、本発明の第５の面によれば、ネットワーク中のパブリック・サービス・アイデンティティによって特定されるサービスを呼び出す方法であって、前記サービスはサービング・エンティティによって取り扱われ、前記パブリック・サービス・アイデンティティは、ホーム・サブスクライバ・サーバにおいて保持される方法が提供される。この方法は、
所与のパブリック・サービス・アイデンティティによって特定されるサービスの呼び出しをルーティング・エンティティにおいて受信するステップと、
前記所与のパブリック・サービス・アイデンティティを保持するホーム・サブスクライバ・サーバに、前記所与のパブリック・サービス・アイデンティティを取り扱うために割り当て可能なサービング・エンティティについて問い合わせするステップと、
前記受信したサービス呼び出しを、前記割り当て可能なサービング・エンティティに転送するステップと、
前記問い合わせに対して、前記所与のパブリック・サービス・アイデンティティが属する‘ワイルドカードＰＳＩ’の範囲の識別子により返答するステップと、
前記‘ワイルドカードＰＳＩ’の範囲の識別子を，前記割り当て可能なサービング・エンティティに向けて転送するステップと、
前記‘ワイルドカードＰＳＩ’の範囲に含まれるパブリック・サービス・アイデンティティに適用可能な‘ワイルドカードＰＳＩ’用の共通サービス・プロファイルを割り当てるステップと
を含む。
【００３５】
１つより多いホーム・サブスクライバ・サーバを有するネットワークに特に興味深いのは、前記方法が、前記所与のパブリック・サービス・アイデンティティを保持する前記ホーム・サブスクライバ・サーバについてセントラル・エンティティに問い合わせるステップと、前記ホーム・サブスクライバ・サーバの識別子を受信するステップとをさらに含むことである。さらに、前記方法は、前記所与のパブリック・サービス・アイデンティティが属する第１‘ワイルドカードＰＳＩ’の範囲の識別子をセントラル・エンティティから受信するステップをさらに含むことができる。
【００３６】
前記エンティティの有利な実施例に整合させるため、前記方法において、サービング・エンティティについてホーム・サブスクライバ・サーバに問い合わせる前記ステップは、セントラル・エンティティから受信した第１‘ワイルドカードＰＳＩ’の範囲の識別子を転送するステップを含むことができる。この場合、前記問い合わせに対して、‘ワイルドカードＰＳＩ’の範囲の識別子により返答する前記ステップは、第１‘ワイルドカードＰＳＩ’を照合して、第２‘ワイルドカードＰＳＩ’のサブレンジとして返答により戻すステップを含むことができる。
【００３７】
本発明の特徴、目的および利点は、添付図面を参照して以下の説明を読むことにより明らかとなるであろう。
【発明を実施するための最良の形態】
【００３８】
以下、各‘ワイルドカードＰＳＩ’の範囲内のホーム・サブスクライバ・サーバ中で定義されたパブリック・サービス・アイデンティティを取り扱う簡単なメカニズムを提供するいくつかの好ましい実施例について説明する。本発明の目的のため、‘ワイルドカードＰＳＩ’の範囲は、とりわけ、次のフォーマット：Ｒａｎｇｅ＊；＊Ｒａｎｇｅ；およびＲａｎｇｅ１＊Ｒａｎｇｅ２のいずれかを採用できる。
【００３９】
ＩＭＳネットワーク中にユニークなホーム・サブスクライバ・サーバ（ＨＳＳ）が設けられる図１に示された第１実施例によれば、３ＧＰＰの下で定義されているインテロゲーティング・コール・セッション・コントロール・ファンクション（Ｉ−ＣＳＣＦ）のようなルーティング・エンティティが、所与のパブリック・サービス・アイデンティティ（ＰＳＩ−ｉｄ）をアドレスするサービス呼び出し（ＩＮＶＩＴＥ）を受信する（Ｓ−１０）。ルーティング・エンティティ（Ｉ−ＣＳＣＦ）は、好ましくは所与のパブリック・サービス・アイデンティティ（ＰＳＩ−ｉｄ）を含むロケーション情報リクエスト（ＬＩＲ）によってＨＳＳに問い合わせを行う（Ｓ−１３）。本発明の目的に関連したこの実施例の下では、所与のパブリック・サービス・アイデンティティ（ＰＳＩ−ｉｄ）が‘識別可ＰＳＩ’としては定義されておらず、‘ワイルドカードＰＳＩ’と一致することをＨＳＳは見出す。ＨＳＳは、また、この‘ワイルドカードＰＳＩ’がどのＳ−ＣＳＣＦにもいまだ割り当てられていないことを見出す。
【００４０】
そして、ＨＳＳは、適当なサービング・エンティティ（Ｓ−ＣＳＣＦ）を選択するのに必要なサーバ能力を、本発明によれば、所与のパブリック・サービス・アイデンティティ（ＰＳＩ−ｉｄ）が属する‘ワイルドカードＰＳＩ’を含めて、インテロゲーティングおよびルーティングのエンティティ（Ｉ−ＣＳＣＦ）に送る（戻す）（Ｓ−２０）。サーバ能力および‘ワイルドカードＰＳＩ’は、好ましくは、ロケーション情報アンサー（ＬＩＡ）中で送られる。ルーティング・エンティティ（Ｉ−ＣＳＣＦ）は、受信したサーバ能力に調和した適当なサービング・エンティティ（Ｓ−ＣＳＣＦ）を選択し、所与のパブリック・サービス・アイデンティティ（ＰＳＩ−ｉｄ）とともに‘ワイルドカードＰＳＩ’を含むサービス呼び出し（ＩＮＶＩＴＥ）を選択されたサービング・エンティティ（Ｓ−ＣＳＣＦ）に転送する（Ｓ−２１）。
【００４１】
サービス呼び出しを受信した選択されたサービング・エンティティ（Ｓ−ＣＳＣＦ）は、好ましくは、所与のパブリック・サービス・アイデンティティ（ＰＳＩ−ｉｄ）の代りに、あるいはこれとともに、受信した‘ワイルドカードＰＳＩ’を含むサーバ割当リクエスト（Ｓｅｒｖｅｒ  Ａｓｓｉｇｍｅｎｔ  Ｒｅｑｕｅｓｔ）（ＳＡＲ）により、その選択について、ＨＳＳに知らせる（Ｓ−２２）。
【００４２】
本発明のある態様によれば、ＨＳＳは、全ての個別的パブリック・サービス・アイデンティティに適用可能な共通サービス・プロファイルにそれぞれ関連した‘ワイルドカードＰＳＩ’を有する。上記全ての個別的パブリック・サービス・アイデンティティは、上記‘ワイルドカードＰＳＩ’に属するか、含まれる。この結果、ＨＳＳは、現在所与のパブリック・サービス・アイデンティティだけでなく、‘ワイルドＰＳＩ’に属する全ての個別的パブリック・サービス・アイデンティティも取り扱っているサービング・エンティティ（Ｓ−ＣＳＣＦ）の識別子（Ｓ−ＣＳＣＦ−ｉｄ）を、上記‘ワイルドカードＰＳＩ’に割り当てる。そして、ＨＳＳは、好ましくはサービス割当アンサー（Ｓｅｒｖｉｃｅ  Ａｓｓｉｇｎｍｅｎｔ  Ａｎｓｗｅｒ）（ＳＡＡ）により、‘ワイルドカードＰＳＩ’に関連した共通サービス・プロファイルを、サービング・エンティティ（Ｓ−ＣＳＣＦ）に送る（戻す）（Ｓ−１７）。
【００４３】
共通サービス・プロファイルを受信したサービング・エンティティ（Ｓ−ＣＳＣＦ）は、それを、さらなる適用可能な呼び出しのために、‘ワイルドカードＰＳＩ’に関連付けて記憶する。サービング・エンティティ（Ｓ−ＣＳＣＦ）は、サービス・プロファイルに含まれるサービス・データの中から、所与のパブリック・サービス・アイデンティティ（ＰＳＩ−ｉｄ）によって特定されるサービスが実行されるアプリケーション・サーバ（ＡＳ）の識別子を取得し、最終的に、上記アプリケーション・サーバ（ＡＳ）に、受信した‘ワイルドカードＰＳＩ’を含めてサービス呼び出し（ＩＮＶＩＴＥ）を転送する（Ｓ−２３）。
【００４４】
‘ワイルドカードＰＳＩ’を受信したアプリケーション・サーバ（ＡＳ）は、特定の基準およびインプリメンテーション・オプションの下に、さらなるチェッキングおよび照合手順が不要となるように、受信した‘ワイルドカードＰＳＩ’内の全てのパブリック・サービス・アイデンティティに対してユニークなサービス・ロジックを適用する。
【００４５】
この実施例の下、次に、１つより多くのＨＳＳが設けられるアーキテクチャの場合について、説明する。図２は、所与のパブリック・サービス・アイデンティティ（ＰＳＩ−ｉｄ）を現在保持しているＨＳＳを特定するために、ルーティング・エンティティ（Ｉ−ＣＳＣＦ）が、好ましくは所与のパブリック・サービス・アイデンティティ（ＰＳＩ−ｉｄ）を含むロケーション情報リクエスト（ＬＩＲ）によって、まず、どのようにして、セントラル・ネットワーク・エンティティ（ＳＬＦ）に問い合わせを行う（Ｓ−１１）のかを示す。セントラル・ネットワーク・エンティティ（ＳＬＦ）は、好ましくはロケーション情報アンサー（ＬＩＡ）によって、指示されたＨＳＳ（ＨＳＳ−ｉｄ）へサービス呼び出しを向ける（リダイレクトする）ための指示（ＲＥＤＩＲＥＣＴ）を送る（戻す）（Ｓ−１２）。その後、図１に示されたシーケンスに従って説明したように、手順が進む。
【００４６】
図３に示された本発明の第２実施例は、他のパブリック・サービス・アイデンティティ（ＰＳＩ−ｉｄ−２）が前に与えられたパブリック・サービス・アイデンティティ（ＰＳＩ−ｉｄ）と同じ‘ワイルドカードＰＳＩ’の範囲に属するときに、前に与えられたパブリック・サービス・アイデンティティ（ＰＳＩ−ｉｄ）とは別のパブリック・サービス・アイデンティティ（ＰＳＩ−ｉｄ−２）による別のサービス呼び出し（Ｓ−１０）が、本発明により、どのように扱うことができるかを示す。この第２実施例の下では、現在与えられているパブリック・サービス・アイデンティティ（ＰＳＩ−ｉｄ−２）が属する‘ワイルドカードＰＳＩ’には、‘ワイルドカードＰＳＩ’に属する全てのパブリック・サービス・アイデンティティを現在取り扱っているサービング・エンティティ（Ｓ−ＣＳＣＦ）の識別子（Ｓ−ＣＳＣＦ−ｉｄ）が割り当てられている、ということをルーティング・エンティティ（Ｉ−ＣＳＣＦ）からの問い合わせ（Ｓ−１３）に応じて判断するために、サービス問い合わせのルーティングは、１つにチェッキング手順（Ｐ−１１）を必要とするだけである。
【００４７】
この状態において、ＨＳＳは、‘ワイルドカードＰＳＩ’に属する全てのパブリック・サービス・アイデンティティ（現在与えられたパブリック・サービス・アイデンティティ（ＰＳＩ−ｉｄ−２）もこれに属する）を取り扱うために既に割り当てられたサービング・エンティティ（Ｓ−ＣＳＣＦ）の識別子（Ｓ−ＣＳＣＦ−ｉｄ）を、上記‘ワイルドカードＰＳＩ’とともに、ルーティング・エンティティ（Ｉ−ＣＳＣＦ）に返事として送る（Ｓ−３０）ことができる。ルーティング・エンティティは、サービング・エンティティを選択する必要はなく、現在与えられたパブリック・サービス・アイデンティティ（ＰＳＩ−ｉｄ−２）、およびこの現在与えられたパブリック・サービス・アイデンティティが属する‘ワイルドカードＰＳＩ’とともに、サービス呼び出しを、割り当てられたサービング・エンティティ（Ｓ−ＣＳＣＦ）に単に転送する（Ｓ−２１）だけでよい。
【００４８】
この呼び出しを受信した（Ｓ−２１）サービング・エンティティ（Ｓ−ＣＳＣＦ）は、与えられた‘ワイルドカードＰＳＩ’がその中で知られており、該サービング・エンティティは既に上記‘ワイルドカードＰＳＩ’に属する全てのパブリック・サービス・アイデンティティに適用される共通サービス・プロファイルを既に取得していることを見出す。この結果、サービング・エンティティは、ＨＳＳにおいて、現在与えられているパブリック・サービス・アイデンティティ（ＰＳＩ−ｉｄ−２）に対して割り当てられる必要がなく、ＨＳＳからそのための個別サービス・プロファイルを取得する必要もない。そして、サービング・エンティティ（Ｓ−ＣＳＣＦ）は、受信した‘ワイルドカードＰＳＩ’に関連した前に記憶された共通サービス・プロファイルから、与えられたパブリック・サービス・アイデンティティ（ＰＳＩ−ｉｄ−２）によって特定されるサービスが実行されるアプリケーション・サーバ（ＡＳ）の識別子を取得し、受信した‘ワイルドＰＳＩ’を含む上記アプリケーション・サーバ（ＡＳ）に、サービス呼び出し（ＩＮＶＩＴＥ）を最終的に転送する（Ｓ−２３）。
【００４９】
この第２実施例の下でも、‘ワイルドカードＰＳＩ’を受けたアプリケーション・サーバ（ＡＳ）は、特定の基準およびインプリメンテーション・オプションの下に、さらなるチェッキングおよび照合手順が不要となるように、受信した‘ワイルドカードＰＳＩ’内の全てのパブリック・サービス・アイデンティティに対してユニークなサービス・ロジックを適用する。
【００５０】
第１実施例と同様に、この第２実施例も、１つよりも多くのＨＳＳを有するＩＭＳネットワークに適用可能である。図４に示されているように、ルーティング・エンティティ（Ｉ−ＣＳＣＦ）は、まず、好ましくはロケーション情報リクエスト（ＬＩＲ）により、セントラル・ネットワーク・エンティティ（ＳＬＦ）に問い合わせを行う（Ｓ−１１）。問い合わせは、現在与えられているパブリック・サービス・アイデンティティ（ＰＳＩ−ｉｄ−２）を含む。これは、上記パブリック・サービス・アイデンティティ（ＰＳＩ−ｉｄ−２）を保持するＨＳＳを特定するためである。セントラル・ネットワーク・エンティティ（ＳＬＦ）は、好ましくはロケーション情報アンサー（ＬＩＡ）によって、指示されたＨＳＳ（ＨＳＳ−ｉｄ）へサービス呼び出しを向ける（リダイレクトする）ための指示（ＲＥＤＩＲＥＣＴ）を送る（戻す）（Ｓ−１２）。その後、手順は、図３に示されたシーケンスに従って説明したのと同様に行われる。
【００５１】
本発明の第３実施例は、図５に示すように、１つより多いＨＳＳを有するネットワークに特に有利なものである。この第３実施例の下、所与のパブリック・サービス・アイデンティティ（ＰＳＩ−ｉｄ）によって特定されたサービスの呼び出し（ＩＮＶＩＴＥ）は、ユーザがそれを介してＩＭＳネットワークにアクセスする例えばプロキシ・コール・セッション・コントロール・ファンクション（Ｐ−ＣＳＣＦ）のようなアクセス・エンティティから、例えばインテロゲーティング・コール・セッション・コントロール・ファンクション（Ｉ−ＣＳＣＦ）でもよいＩＭＳネットワークのルーティング・エンティティにおいて受信される（Ｓ−１０）。ルーティング・エンティティ（Ｉ−ＣＳＣＦ）は、まず、所与のパブリック・サービス・アイデンティティ（ＰＳＩ−ｉｄ）によってセントラル・ネットワーク・エンティティ（ＳＬＦ）に問い合わせを行う（Ｓ−１１）ことにより、上記所与のパブリック・サービス・アイデンティティ（ＰＳＩ−ｉｄ）を担当するＨＳＳを決定する。問い合わせは、ロケーション情報リクエスト（ＬＩＲ）であることが好ましい。
【００５２】
セントラル・ネットワーク・エンティティ（ＳＬＦ）は、チェッキング手順を実行し、所与のパブリック・サービス・アイデンティティ（ＰＳＩ−ｉｄ）が、特定のＨＳＳによって保持されるセントラル・エンティティ中で定められた‘ワイルドカードＰＳＩ’の範囲内に一致する（Ｐ−１０）と判断する。本発明の一面によれば、セントラル・エンティティ（ＳＬＦ）は、指示されたＨＳＳへサービス呼び出しを向ける（リダイレクトする）ための指示（ＲＥＤＩＲＥＣＴ）、上記ＨＳＳの識別子（ＨＳＳ−ｉｄ）および‘ワイルドカードＰＳＩ’を、ルーティング・エンティティ（Ｉ−ＣＳＣＦ）に送る（戻す）（Ｓ−４０）。この提出（戻し）は、ロケーション情報アンサー（ＬＩＡ）によって行われるのが好ましい。
【００５３】
そして、ルーティング・エンティティ（Ｉ−ＣＳＣＦ）は、好ましくはロケーション情報リクエスト（ＬＩＲ）により、所与のパブリック・サービス・アイデンティティ（ＰＳＩ−ｉｄ）および受信した‘ワイルドカードＰＳＩ’を含めて、指示されたＨＳＳに問い合わせる（Ｓ−４１）。
【００５４】
‘ワイルドカードＰＳＩ’を含む問い合わせを受けたＨＳＳは、受信したパブリック・サービス・アイデンティティとの照合を行うための完全なチェッキング手順を行う必要はなく、サービング・エンティティ（Ｓ−ＣＳＣＦ）が上記‘ワイルドカードＰＳＩ’に既に割り当てられたかどうかを単に判断すればよい。サービング・エンティティ（Ｓ−ＣＳＣＦ）が、‘ワイルドカードＰＳＩ’に属する全てのパブリック・サービス・アイデンティティを取り扱うように割り当てられているものとすると、割り当てられたサービング・エンティティの識別子（Ｓ−ＣＳＣＦ−ｉｄ）は、‘ワイルドカードＰＳＩ’とともに、ルーティング・エンティティ（Ｉ−ＣＳＣＦ）に送られる（Ｓ−３０）。
【００５５】
ルーティング・エンティティ（Ｉ−ＣＳＣＦ）は、サービス呼び出し（ＩＮＶＩＴＥ）を、所与のパブリック・サービス・アイデンティティ（ＰＳＩ−ｉｄ）および‘ワイルドカードＰＳＩ’とともに、割り当てられたサービング・エンティティ（Ｓ−ＣＳＣＦ）に転送する（Ｓ−２１）。この呼び出しを受信した（Ｓ−２１）サービング・エンティティ（Ｓ−ＣＳＣＦ）は、所与の‘ワイルドカードＰＳＩ’が、該‘ワイルドカードＰＳＩ’に属する全てのパブリック・サービス・アイデンティティに対して適用される共通サービス・プロファイルにサービング・エンティティにおいて既に関連付けられていることを見出す。サービング・エンティティ（Ｓ−ＣＳＣＦ）は、所与のパブリック・サービス・アイデンティティ（ＰＳＩ−ｉｄ）に対してＨＳＳにおいて割り当てられている必要なく、ＨＳＳからそのための個別的サービス・プロファイルを取得する必要もない。そして、サービング・エンティティ（Ｓ−ＣＳＣＦ）は、受信した‘ワイルドカードＰＳＩ’に関連した共通サービス・プロファイルから、所与のパブリック・サービス・アイデンティティ（ＰＳＩ−ｉｄ）によって特定されるサービスが実行されるアプリケーション・サーバ（ＡＳ）の識別子を取得し、上記アプリケーション・サーバ（ＡＳ）に、受信した‘ワイルドカードＰＳＩ’を含めてサービス呼び出し（ＩＮＶＩＴＥ）を最終的に転送する。
【００５６】
図５に示されたこの第３実施例の下でも、ワイルドカードＰＳＩ’を受けたアプリケーション・サーバ（ＡＳ）は、特定の基準およびインプリメンテーション・オプションの下に、さらなるチェッキングおよび照合手順が不要となるように、受信した‘ワイルドカードＰＳＩ’内の全てのパブリック・サービス・アイデンティティに対してユニークなサービス・ロジックを適用する。
【００５７】
さらに、１つのＨＳＳまたは１つより多いＨＳＳを有するのに関係なく、図３および図５の実施例中に少なくとも示されているように、サービス呼び出し（ＩＮＶＩＴＥ）中で受信された所与のパブリック・サービス・アイデンティティ（ＰＳＩ−ｉｄ；ｐＳＩ−ｉｄ−２）を、ネットワーク・エンティティ（ＳＬＦ，ＨＳＳ，ＡＳ）中で定められ‘識別可ＰＳＩ’または‘ワイルドカードＰＳＩ’として保持されるパブリック・サービス・アイデンティティと照合するための、１つより多いチェッキング手順を実行する必要はない。
【００５８】
図４に示された第２実施例の教示と、図５に示された第３実施例の教示とを組み合わせることにより、さらに改良することができる。図６に示された第４実施例によれば、所与のパブリック・サービス・アイデンティティ（ＰＳＩ−ｉｄ）を保持するＨＳＳについて問い合わせを受けた（Ｓ−１１）セントラル・エンティティ（ＳＬＦ）は、指示されたＨＳＳに向けてサービス呼び出しを送る（リダイレクトする）旨の指示（ＲＥＤＩＲＥＣＴ）と、上記ＨＳＳの識別子（ＨＳＳ−ｉｄ）と、所与のパブリック・サービス・アイデンティティ（ＰＳＩ−ｉｄ）が属する‘ワイルドカードＰＳＩ’（Ｗｉｌｄｃａｒｄ−ＰＳＩ−ａ）とを、ルーティング・エンティティ（Ｉ−ＣＳＣＦ）に送る（戻す）ことができる（Ｓ−４０）。この提出（戻し）は、上述したように、ロケーション情報アンサー（ＬＩＡ）により行われることが好ましい。ルーティング・エンティティ（Ｉ−ＣＳＣＦ）は、好ましくはロケーション情報リクエスト（ＬＩＲ）により、所与のパブリック・サービス・アイデンティティ（ＰＳＩ−ｉｄ）および受信した‘ワイルドカードＰＳＩ’（‘Ｗｉｌｄｃａｒｄ−ＰＳＩ−ａ’）を含めて、指示されたＨＳＳに問い合わせを行う（Ｓ−４１）。
【００５９】
第１‘ワイルドカードＰＳＩ’（‘Ｗｉｌｄｃａｒｄ  ＰＳＩ−ａ’）を含むこのような問い合わせを受けたＨＳＳは、それでも、受信した第１‘ワイルドカードＰＳＩ’（‘Ｗｉｌｄｃａｒｄ  ＰＳＩ−ａ’）を照合するためのチェッキング手順を実行し（Ｐ−１１）し、このチェキング手順の結果として、受信した第１‘ワイルドカードＰＳＩ’（‘Ｗｉｌｄｃａｒｄ  ＰＳＩ−ａ’）が属するか、受信した第１‘ワイルドカードＰＳＩ’（‘Ｗｉｌｄｃａｒｄ  ＰＳＩ−ａ’）がそこに含まれている第２‘ワイルドカードＰＳＩ’（‘Ｗｉｌｄｃａｒｄ  ＰＳＩ−ｂ’）を求める。
【００６０】
すなわち、第２‘ワイルドカードＰＳＩ’（‘Ｗｉｌｄｃａｒｄ  ＰＳＩ−ｂ’）は、受信した第１‘ワイルドカードＰＳＩ’（‘Ｗｉｌｄｃａｒｄ  ＰＳＩ−ａ’）のサブレンジとしてＨＳＳにおいて定められ、受信した第１‘ワイルドカードＰＳＩ’（‘Ｗｉｌｄｃａｒｄ  ＰＳＩ−ｂ’）と組み合わされて所与のパブリック・サービス・アイデンティティ（ＰＳＩ−ｉｄ）を照合するためのチェッキング手順を適用した結果として得ることができる。または、第２‘ワイルドカードＰＳＩ’（‘Ｗｉｌｄｃａｒｄ  ＰＳＩ−ｂ’）は、受信した第１‘ワイルドカードＰＳＩ’（‘Ｗｉｌｄｃａｒｄ  ＰＳＩ−ａ’）によって示されるサブレンジを含むレンジとして、ＨＳＳにおいて定めることができる。
【００６１】
上記第２‘ワイルドカードＰＳＩ’（‘Ｗｉｌｄｃａｒｄ  ＰＳＩ−ｂ’）がＨＳＳにおいて導出されると（Ｐ−１１）、ＨＳＳは、サービング・エンティティ（Ｓ−ＣＳＣＦ）が、第２‘ワイルドカードＰＳＩ’（‘Ｗｉｌｄｃａｒｄ  ＰＳＩ−ｂ’）に既に割り当てられているか判断する。サービング・エンティティ（Ｓ−ＣＳＣＦ）が、第２‘ワイルドカードＰＳＩ’（‘Ｗｉｌｄｃａｒｄ  ＰＳＩ−ｂ’）に属する全てのパブリック・サービス・アイデンティティを取り扱うように割り当てられていると、割り当てられたサービング・エンティティの識別子（Ｓ−ＣＳＣＦ−ｉｄ）が、第２‘ワイルドカードＰＳＩ’（‘Ｗｉｌｄｃａｒｄ  ＰＳＩ−ｂ’）とともに、ルーティング・エンティティ（Ｉ−ＣＳＣＦ）に送られる（Ｓ−３０）。これに続くアクション・シーケンスは、図４に示された実施例と同様に進行する。
【００６２】
図６に示された実施例は、‘ワイルドカードＰＳＩ’の範囲の分布は、セントラル・ネットワーク・エンティティ（ＳＬＦ）におけるものと、ＨＳＳ中のものとを同じにする必要をなくする。このようなフレキシブルな分布は、ＨＳＳ中の特定の各‘ワイルドカードＰＳＩ’の範囲へのＳ−ＣＳＣＦの割当をよりフレキシブルにできる。このとき、このような各範囲は、セントラル・ネットワーク・エンティティ中で定められる１つの‘ワイルドカードＰＳＩ’にのみ含まれる。
【００６３】
他方、‘識別可ＰＳＩ’として、または‘ワイルドカードＰＳＩ’として定義されているかに関係なく、サービス・プロファイルとパブリック・サービス・アイデンティティとの間のサービス・エンティティ中の関係に影響を与える可能性があるＨＳＳ中で定義されたパブリック・サービス・アイデンティティの何らの変化、またはサービス・プロファイル中のコンテンツの何らかの変化により、サービング・エンティティ（Ｓ−ＣＳＣＦ）からの明示のリクエストなく、ＨＳＳが、サービング・エンティティに向けたプロファイル・ダウンロードのトリガーをかけるように、ＨＳＳとサービング・エンティティ（Ｓ−ＣＳＣＦ）とが構成される。
【００６４】
どの図にも示されていない本発明の別の実施例によれば、セントラル・ネットワーク・エンティティ（ＳＬＦ）は、所与のパブリック・サービス・アイデンティティに基づくルーティング・クエリに応じて、所与のパブリック・サービス・アイデンティティによって特定されるサービスが実行されるアプリケーション・サーバの識別子を返す（送る）ことができる。このアプリケーション・サーバの識別子は、ネットワーク中のいずれのサービング・エンティティ（Ｓ−ＣＳＣＦ）に向けて、またはＨＳＳに向けて、定義または補正に応じて、直接的または間接的に、提出することができる。
【００６５】
上記いずれの実施例においても、セントラル・ネットワーク・エンティティは、１つより多いＨＳＳを有するネットワーク内のセントラライズド・エンティティであり、このセントラル・エンティティは、サブスクリプション・ロケータ・ファンクションを実行する、すなわち、所与のサブスクリプションを担当するＨＳＳについて知らせる。この場合、セントラル・エンティティは、所与のパブリック・サービス・アイデンティティについてのルーティング・クエリに対して、対応ユーザについてのサブスクリプションを保持するホーム・サブスクリプション・サーバの識別子（ＨＳＳ−ｉｄ）で返答する手段も有することができる。
【００６６】
ルーティング・エンティティ（Ｉ−ＣＳＣＦ）からアプリケーション・サーバヘ直接のルーティングが許されるように構成されたネットワークのための同様の実施例においては、ＨＳＳは、所与のパブリック・サービス・アイデンティティに基づくルーティング・クエリに応じて、サービス呼び出しを現在取り扱っているサービング・エンティティ（Ｓ−ＣＳＣＦ）の識別子の代わりに、所与のパブリック・サービス・アイデンティティによって特定されるサービスが実行されるアプリケーション・サーバの識別子を送る（返す）ことができる。
【００６７】
本発明を、いくつかの実施例について、例示的に、非限定的に説明した。これらの実施例の変更および組み合わせが可能なことは、上記教示したところから明らかであろう。特許請求の範囲内の実施例のあらゆる変更も含まれる。
【図面の簡単な説明】
【００６８】
【図１】本発明の第１実施例により、‘ワイルドカード  ＰＳＩ’の範囲に属する所与のパブリック・サービス・アイデンティティが、１つのみのＨＳＳを有するネットワーク中でどのように扱われるかを説明する基本シグナリング・フローを示す。
【図２】本発明の第１実施例により、‘ワイルドカード  ＰＳＩ’の範囲に属する所与のパブリック・サービス・アイデンティティが、１つより多くののＨＳＳを有するネットワーク中でどのように扱われるかを説明する基本シグナリング・フローを示す。
【図３】本発明の第２実施例により、‘ワイルドカード  ＰＳＩ’の範囲に属する所与のパブリック・サービス・アイデンティティが、１つのみのＨＳＳを有するネットワーク中でどのように扱われるかを説明する基本シグナリング・フローを示す。
【図４】本発明の第２実施例により、‘ワイルドカード  ＰＳＩ’の範囲に属する所与のパブリック・サービス・アイデンティティが、１つより多くののＨＳＳを有するネットワーク中でどのように扱われるかを説明する基本シグナリング・フローを示す。
【図５】本発明の第３実施例により、‘ワイルドカード  ＰＳＩ’の範囲に属する所与のパブリック・サービス・アイデンティティが、１つより多くののＨＳＳを有するネットワーク中でどのように扱われるかを説明する基本シグナリング・フローを示す。
【図６】本発明の第４実施例により、‘ワイルドカード  ＰＳＩ’の範囲に属する所与のパブリック・サービス・アイデンティティが、１つより多くののＨＳＳを有するネットワーク中でどのように扱われるかを説明する基本シグナリング・フローを示す。
【図１】
2009505484.tif 000003
【図２】
2009505484.tif 000004
【図３】
2009505484.tif 000005
【図４】
2009505484.tif 000006
【図５】
2009505484.tif 000007
【図６】
2009505484.tif 000008
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
ネットワークにおいてパブリック・サービス・アイデンティティを保持するホーム・サブスクライバ・サーバ（ＨＳＳ）であって、各パブリック・サービス・アイデンティティが、サービング・エンティティ（ＡＳ，Ｓ−ＣＳＣＦ）に割り当て可能なサービスを特定し、
所与のパブリック・サービス・アイデンティティ（ＰＳＩ−ｉｄ，ＰＳＩ−ｉｄ−２）が‘識別可ＰＳＩ’として保持されているか、または前記所与のパブリック・サービス・アイデンティティ（ＰＳＩ−ｉｄ，ＰＳＩ−ｉｄ−２，‘Ｗｉｌｄｃａｒｄ  ＰＳＩ−ａ’）が‘ワイルドカードＰＳＩ’（‘Ｗｉｌｄｃａｒｄ  ＰＳＩ’，‘Ｗｉｌｄｃａｒｄ  ＰＳＩ−ｂ’）として保持されるパブリック・サービス・アイデンティティの範囲に属するかを判別する（Ｐ−１１）手段と、
前記所与のパブリック・サービス・アイデンティティ（ＰＳＩ−ｉｄ，ＰＳＩ−ｉｄ−２）に基づく、ルーティング・エンティティ（Ｉ−ＣＳＣＦ）からのルーティング・クエリ（Ｓ−１３）に対して、該パブリック・サービス・アイデンティティに対して既に割り当てられたサービング・エンティティの識別子（ＡＳ−ｉｄ，Ｓ−ＣＳＣＦ−ｉｄ）、または該サービング・エンティティを選択するのに必要な能力で返答し、さらに、前記所与のパブリック・サービス・アイデンティティがそのような範囲に属する場合に、該返答中に、前記‘ワイルドカードＰＳＩ’（‘Ｗｉｌｄｃａｒｄ  ＰＳＩ’，‘Ｗｉｌｄｃａｒｄ−ＰＳＩ−ｂ’）の識別子を含ませる手段を
有するホーム・サブスクライバ・サーバ（ＨＳＳ）であり、
‘ワイルドカードＰＳＩ’（‘Ｗｉｌｄｃａｒｄ  ＰＳＩ’（‘Ｗｉｌｄｃａｒｄ  ＰＳＩ’，‘Ｗｉｌｄｃａｒｄ  ＰＳＩ−ｂ’）として保持されるパブリック・サービス・アイデンティティの範囲を、該‘ワイルドカードＰＳＩ’に属するいずれのパブリック・サービス・アイデンティティ（ＰＳＩ−ｉｄ，ＰＳＩ−ｉｄ−２，‘Ｗｉｌｄｃａｒｄ  ＰＳＩ−ａ’）にも適用可能な共通サービス・プロファイルに関連付ける手段と、
前記‘ワイルドカードＰＳＩ’の範囲（‘Ｗｉｌｄｃａｒｄ  ＰＳＩ’）を現在保持しているサービング・エンティティからの指示の受信（Ｓ−２２）に応じて、該‘ワイルドカードＰＳＩ’の範囲（‘Ｗｉｌｄｃａｒｄ  ＰＳＩ’）中に含まれるパブリック・サービス・アイデンティティを取り扱うために該サービング・エンティティ（Ｓ−ＣＳＣＦ）を割り当てる手段と、
前記サービング・エンティティ（Ｓ−ＣＳＣＦ）に対して、前記ワイルドカードＰＳＩ’（‘Ｗｉｌｄｃａｒｄ  ＰＳＩ’）に関連付けられた前記共通サービス・プロファイルを提供する手段と
を備えることを特徴とするホーム・サブスクライバ・サーバ（ＨＳＳ）。
【請求項２】
‘識別可ＰＳＩ’として保持された各個別のパブリック・サービス・アイデンティティを、前記サービスを実行するための特定のサービス・プロファイルに関連付ける手段をさらに含むことを特徴とする請求項１に記載のホーム・サブスクライバ・サーバ（ＨＳＳ）。
【請求項３】
‘識別可ＰＳＩ’として保持される前記個別パブリック・サービス・アイデンティティによるクエリ、または前記特定のサービス・プロファイル中のコンテンツの何らかの変化に応じて、前記特定のサービス・プロファイルを提供する（Ｓ−１７）手段と、
前記‘ワイルドカードＰＳＩ’（‘Ｗｉｌｄｃａｒｄ  ＰＳＩ’，‘Ｗｉｌｄｃａｒｄ  ＰＳＩ−ｂ’）に属するいずれかのパブリック・サービス・アイデンティティ（ＰＳＩ−ｉｄ，ＰＳＩ−ｉｄ−２，‘Ｗｉｌｄｃａｒｄ  ＰＳＩ−ａ’）によるクエリ、または前記共通サービス・プロファイル中のコンテンツの何らかの変化に応じて、前記共通サービス・プロファイルを提供する（Ｓ−１７）手段と、
をさらに含むことを特徴とする請求項２に記載のホーム・サブスクライバ・サーバ（ＨＳＳ）。
【請求項４】
ルーティング・エンティティ（Ｉ−ＣＳＣＦ）からルーティング・クエリ（Ｓ−４１）を受信する手段をさらに含み、該ルーティング・クエリは、前記ホーム・サブスクライバ・サーバ（ＨＳＳ）中で定められた第２‘ワイルドカードＰＳＩ’（‘Ｗｉｌｄｃａｒｄ  ＰＳＩ−ｂ’）のサブレンジである第１‘ワイルドカードＰＳＩ’（‘Ｗｉｌｄｃａｒｄ  ＰＳＩ−ａ’）に基づくことを特徴とする請求項１に記載のホーム・サブスクライバ・サーバ（ＨＳＳ）。
【請求項５】
ルーティング・クエリ（Ｓ−１３）に対して返答する前記手段は、‘ワイルドカードＰＳＩ’の範囲を取り扱うサービング・エンティティ（Ｓ−ＣＳＣＦ，ＡＳ）が既に割り当てられている該‘ワイルドカードＰＳＩ’の範囲（‘Ｗｉｌｄｃａｒｄ  ＰＳＩ’，‘Ｗｉｌｄｃａｒｄ  ＰＳＩ−ｂ’）に属する第２パブリック・サービス・アイデンティティ（ＰＳＩ−ｉｄ−２）に基づくさらなるクエリに対して、該サービング・エンティティの識別子（ＡＳ−ｉｄ；Ｓ−ＣＳＣＦ−ｉｄ）で返答するように構成されることを特徴とする請求項１に記載のホーム・サブスクライバ・サーバ（ＨＳＳ）。
【請求項６】
パブリック・サービス・アイデンティティによって特定されるサービスを取り扱うために割り当てられるサービング・エンティティ（Ｓ−ＣＳＣＦ）であって、
所与のパブリック・サービス・アイデンティティ（ＰＳＩ−ｉｄ，ＰＳＩ−ｉｄ−２）によって特定されるサービスの呼び出し（ＩＮＶＩＴＥ）を受信する手段を
有するサービング・エンティティ（Ｓ−ＣＳＣＦ）であり、
前記所与のパブリック・サービス・アイデンティティ（ＰＳＩ−ｉｄ，ＰＳＩ−ｉｄ−２）が属する‘ワイルドカードＰＳＩ’の範囲（‘Ｗｉｌｄｃａｒｄ  ＰＳＩ’，‘Ｗｉｌｄｃａｒｄ  ＰＳＩ−ｂ’）の識別子を、前記呼び出しにより受信する（Ｓ−２１）手段と、
前記‘ワイルドカードＰＳＩ’の範囲（‘Ｗｉｌｄｃａｒｄ  ＰＳＩ’）を現在保持しているサービング・エンティティであることを、ネットワーク中のパブリック・サービス・アイデンティティを保持するホーム・サブスクライバ・サーバ（ＨＳＳ）に知らせる（Ｓ−２２）手段と、
前記‘ワイルドカードＰＳＩ’の範囲に関連付けられた共通サービス・プロファイルを、前記ホーム・サブスクライバ・サーバ（ＨＳＳ）から受信する（Ｓ−１７）手段と
を備えることを特徴とするサービング・エンティティ（Ｓ−ＣＳＣＦ）。
【請求項７】
前記所与のパブリック・サービス・アイデンティティに対するサービス・プロファイルが既に使用可能であるか、または前記‘ワイルドカードＰＳＩ’の範囲に対する共通サービス・プロファイルが既に使用可能であるか判断する手段をさらに含むことを特徴とする請求項６に記載のサービング・エンティティ（Ｓ−ＣＳＣＦ）。
【請求項８】
前記‘ワイルドカードＰＳＩ’の範囲に関連付けられた前記共通サービス・プロファイルから、前記所与のパブリック・サービス・アイデンティティによって特定されるサービスが実行されるアプリケーション・サーバの識別子を取得する手段をさらに含むことを特徴とする請求項６に記載のサービング・エンティティ（Ｓ−ＣＳＣＦ）。
【請求項９】
前記所与のパブリック・サービス・アイデンティティによって特定されるサービスを実行するアプリケーション・サーバ（ＡＳ）に向けて、前記受信した呼び出し（ＩＮＶＩＴＥ）を転送する（Ｓ−２３）手段をさらに含み、前記呼び出しが、前記所与のパブリック・サービス・アイデンティティが属する前記‘ワイルドカードＰＳＩ’の範囲（‘Ｗｉｌｄｃａｒｄ  ＰＳＩ’，‘Ｗｉｌｄｃａｒｄ  ＰＳＩ−ｂ’）の識別子を含むことを特徴とする請求項６に記載のサービング・エンティティ（Ｓ−ＣＳＣＦ）。
【請求項１０】
ネットワーク中のパブリック・サービス・アイデンティティによって特定されるサービスの呼び出しを、該サービスを取り扱うために割り当てられるサービング・エンティティ（Ｓ−ＣＳＣＦ，ＡＳ）に向けてルーティングするルーティング・エンティティ（Ｉ−ＣＳＣＦ）であって、
所与のパブリック・サービス・アイデンティティ（ＰＳＩ−ｉｄ，ＰＳＩ−ｉｄ−２）によって特定されるサービスの呼び出し（ＩＮＶＩＴＥ）を受信する手段（Ｓ−１０）と、
前記所与のパブリック・サービス・アイデンティティを保持するホーム・サブスクライバ・サーバ（ＨＳＳ）から、前記所与のパブリック・サービス・アイデンティティのために既に割り当てられているサービング・エンティティの識別子（ＡＳ−ｉｄ，Ｓ−ＣＳＣＦ−ｉｄ）、またはサービング・エンティティを選択するのに必要な能力を取得する（Ｓ−１３，Ｓ−２０，Ｓ−４１，Ｓ−３０）手段と、
前記所与のパブリック・サービス・アイデンティティが属する‘ワイルドカードＰＳＩ’の範囲の識別子（‘Ｗｉｌｄｃａｒｄ  ＰＳＩ’，‘Ｗｉｌｄｃａｒｄ  ＰＳＩ−ｂ’，‘Ｗｉｌｄｃａｒｄ  ＰＳＩ−ｂ’）を、前記所与のパブリック・サービス・アイデンティティを保持するネットワーク・エンティティ（ＨＳＳ，ＳＬＦ）から受信する（Ｓ−２０，Ｓ−３０，Ｓ−４０）手段と、
受信したサービス呼び出しを、選択可能サービング・エンティティ（Ｓ−ＣＳＣＦ，ＡＳ）に転送する（Ｓ−２１）手段を
有するルーティング・エンティティ（Ｉ−ＣＳＣＦ）であり、
前記所与のパブリック・サービス・アイデンティティが属する前記‘ワイルドカードＰＳＩ’の範囲の識別子（‘Ｗｉｌｄｃａｒｄ  ＰＳＩ’，‘Ｗｉｌｄｃａｒｄ−ＰＳＩ−ｂ’）を、前記サービング・エンティティに向けて転送される（Ｓ−２１）前記呼び出しに含める手段
を備えることを特徴とするルーティング・エンティティ（Ｉ−ＣＳＣＦ）。
【請求項１１】
‘ワイルドカードＰＳＩ’の範囲の識別子を受信する（Ｓ−４０）前記手段が、前記所与のパブリック・サービス・アイデンティティを保持するホーム・サブスクライバ・サーバの識別子（ＨＳＳ−ｉｄ）をセントラル・エンティティ（ＳＬＦ）から取得する（Ｓ−１２，Ｓ−４０）手段をも含むことを特徴とする請求項１０に記載のルーティング・エンティティ（Ｉ−ＣＳＣＦ）。
【請求項１２】
前記所与のパブリック・サービス・アイデンティティが属する指示された‘ワイルドカードＰＳＩ’の範囲（‘Ｗｉｌｄｃａｒｄ  ＰＳＩ’，‘Ｗｉｌｄｃａｒｄ  ＰＳＩ−ａ’）に割り当て可能なサービング・エンティティについて前記ホーム・サブスクライバ・サーバ（ＨＳＳ−ｉｄ）に問い合わせる（Ｓ−４１）手段をさらに含むことを特徴とする請求項１１に記載のルーティング・エンティティ（Ｉ−ＣＳＣＦ）。
【請求項１３】
前記転送された呼び出しに含まれる前記‘ワイルドカードＰＳＩ’の範囲の識別子（‘Ｗｉｌｄｃａｒｄ  ＰＳＩ’，‘Ｗｉｌｄｃａｒｄ  ＰＳＩ−ｂ’）は、前記ホーム・サブスクライバ・サーバ（ＨＳＳ）から受信した（Ｓ−２０，Ｓ−３０）ものであることを特徴とする請求項１１に記載のルーティング・エンティティ（Ｉ−ＣＳＣＦ）。
【請求項１４】
前記ホーム・サブスクライバ・サーバ（ＨＳＳ）に向けてルーティング・クエリを送る前記手段は、前記所与のパブリック・サービス・アイデンティティを保持する前記ホーム・サブスクライバ・サーバの識別子（ＨＳＳ−ｉｄ）を、請求項１のセントラル・エンティティから取得する手段を含むことを特徴とする請求項１０に記載のルーティング・エンティティ（Ｉ−ＣＳＣＦ）。
【請求項１５】
ネットワーク中のパブリック・サービス・アイデンティティによって特定されるサービスを呼び出す方法であって、前記サービスはサービング・エンティティ（Ｓ−ＣＳＣＦ，ＡＳ）によって取り扱われ、前記パブリック・サービス・アイデンティティは、ホーム・サブスクライバ・サーバ（ＨＳＳ）において保持され、
所与のパブリック・サービス・アイデンティティ（ＰＳＩ−ｉｄ，ＰＳＩ−ｉｄ−２）によって特定されるサービスの呼び出し（ＩＮＶＩＴＥ）をルーティング・エンティティ（Ｉ−ＣＳＣＦ）において受信する（Ｓ−１０）ステップと、
前記所与のパブリック・サービス・アイデンティティを保持するホーム・サブスクライバ・サーバ（ＨＳＳ）に、前記所与のパブリック・サービス・アイデンティティを取り扱うために割り当て可能なサービング・エンティティ（Ｓ−ＣＳＣＦ，ＡＳ）について問い合わせする（Ｓ−１３，Ｓ−４１）ステップと、
前記受信したサービス呼び出しを、前記割り当て可能なサービング・エンティティ（Ｓ−ＣＳＣＦ，ＡＳ）に転送する（Ｓ−２１）ステップと、
前記問い合わせに対して、前記所与のパブリック・サービス・アイデンティティが属する‘ワイルドカードＰＳＩ’の範囲の識別子（‘Ｗｉｌｄｃａｒｄ  ＰＳＩ’，‘Ｗｉｌｄｃａｒｄ  ＰＳＩ−ｂ’）により返答する（Ｓ−２０，Ｓ−３０，Ｓ−４０）ステップを
有する方法であり、
前記‘ワイルドカードＰＳＩ’の範囲の識別子（‘Ｗｉｌｄｃａｒｄ  ＰＳＩ’，‘Ｗｉｌｄｃａｒｄ  ＰＳＩ−ｂ’）を、前記割り当て可能なサービング・エンティティ（Ｓ−ＣＳＣＦ，ＡＳ）に向けて転送する（Ｓ−２１）ステップと、
前記‘ワイルドカードＰＳＩ’の範囲に含まれるパブリック・サービス・アイデンティティに適用可能な前記‘ワイルドカードＰＳＩ’用の共通サービス・プロファイルを前記ホーム・サブスクライバ・サーバ（ＨＳＳ）において割り当てるステップと、
前記‘ワイルドカードＰＳＩ’の範囲を現在保持するサービング・エンティティからの指示の受信（Ｓ−２２）に応じて、前記サービング・エンティティ（Ｓ−ＣＳＣＦ，ＡＳ）に対して、前記‘ワイルドカードＰＳＩ’の範囲に関連付けられた前記共通サービス・プロファイル提供するステップと
を含むことを特徴とする方法。
【請求項１６】
１つより多いホーム・サブスクライバ・サーバ（ＨＳＳ）を有するネットワークにおいて前記所与のパブリック・サービス・アイデンティティを保持する前記ホーム・サブスクライバ・サーバ（ＨＳＳ）についてセントラル・エンティティ（ＳＬＦ）に問い合わせる（Ｓ−１１）ステップと、
前記ホーム・サブスクライバ・サーバ（ＨＳＳ）の識別子を受信する（Ｓ−１２，Ｓ−４０）ステップと
をさらに含むことを特徴とする請求項１５に記載の方法。
【請求項１７】
前記所与のパブリック・サービス・アイデンティティが属する第１‘ワイルドカードＰＳＩ’の範囲の識別子（‘Ｗｉｌｄｃａｒｄ  ＰＳＩ’，‘Ｗｉｌｄｃａｒｄ  ＰＳＩ−ａ’）を前記セントラル・エンティティ（ＳＬＦ）から受信する（Ｓ−４０）ステップをさらに含むことを特徴とする請求項１６に記載の方法。
【請求項１８】
サービング・エンティティ（Ｓ−ＣＳＣＦ，ＡＳ）についてホーム・サブスクライバ・サーバ（ＨＳＳ）に問い合わせる（Ｓ−４１）前記ステップは、前記セントラル・エンティティ（ＳＬＦ）から受信した第１‘ワイルドカードＰＳＩ’の範囲の識別子（‘Ｗｉｌｄｃａｒｄ  ＰＳＩ’，‘Ｗｉｌｄｃａｒｄ  ＰＳＩ−ａ’）を転送するステップをさらに含むことを特徴とする請求項１７に記載の方法。
【請求項１９】
前記問い合わせに対して、‘ワイルドカードＰＳＩ’の範囲の識別子（‘Ｗｉｌｄｃａｒｄ  ＰＳＩ’，‘Ｗｉｌｄｃａｒｄ  ＰＳＩ−ｂ’）により返答する（Ｓ−４０）前記ステップは、該返答により戻すべき第２‘ワイルドカードＰＳＩ’（‘Ｗｉｌｄｃａｒｄ  ＰＳＩ−ｂ’）のサブレンジとしての前記第１‘ワイルドカードＰＳＩ’（‘Ｗｉｌｄｃａｒｄ  ＰＳＩ−ａ’）を照合するステップを含むことを特徴とする請求項１８に記載の方法。
【国際調査報告】
2009505484.tif 000009
2009505484.tif 000010